(57)【要約】要約課題不必要なアイテムがテーブル上を占有することがなく、使用者の手の届く位置にこれらのアイテムを配置することができるテーブルを提供する。課題を解決するための手段物を載せるためのテーブル本体と、前記テーブル本体の側面に断面視凹状を呈する溝部と、前記溝部と取り付け可能な嵌合部と、を有し、前記嵌合部は、前記テーブル本体における前記溝部と取り外し可能に嵌合することができるテーブルである。選択図          図１
2019069351.tif 000002
【特許請求の範囲】
【請求項１】
物を載せるためのテーブル本体と、
前記テーブル本体の側面に断面視凹状を呈する溝部と、
前記溝部と取り付け可能な嵌合部と、を有し、
前記嵌合部は、前記テーブル本体における前記溝部と、取り外し可能に嵌合することができるテーブル。
【請求項２】
前記溝部または、前記嵌合部のいずれか一方に磁石を配置し、
前記嵌合部または前記溝部のいずれか他方に、前記磁石と吸着する鉄材を配置する請求項１記載のテーブル。
【請求項３】
物をつり下げることができる吊り下げ部と、をさらに有し、
前記吊り下げ部は、前記嵌合部を有する請求項１または２記載のテーブル。
【請求項４】
空間を仕切るための壁部と接続するための壁支持具と、をさらに有し、
前記壁支持具は、前記嵌合部を有する請求項１または２記載のテーブル。
【請求項５】
コードを保持するためのコード支持具と、をさらに有し、
前記コード支持具は、前記嵌合部を有する請求項１または２記載のテーブル。
【請求項６】
前記吊り下げ部に、書類または、アイテムを吊り下げることができるファイル保持部を吊り下げた請求項３記載のテーブル。
【発明の詳細な説明】
【技術分野】
【０００１】
本発明は、テーブル本体に嵌合部を着脱可能に取り付けることができるテーブルに関するものである。
【背景技術】
【０００２】
事務作業時には、ボールペンあるいは定規、眼鏡、飲料の入った飲用容器などのアイテムを使用することがある。そのようなものは、使用したいときには手に届く場所に載置することが必要であるが、不使用時にはそのアイテムをテーブル上には置きたくないという要望がある。またかばん、手提げなどのアイテムも同様である。【０００３】
これを解決するものとして、特開２００８−０９９８０６号公報にテーブルポケットなるものが開示されている。すなわち、このテーブルポケットは、平面部１と、外表面にポケット２を形成し上端縁を平面部の側縁に接合したポケット基布３とで構成し、その平面部１の裏面を、密着性があり滑り止め機能を備えた材質で形成するというものである。【０００４】
上記テーブルポケットは平面部１をテーブル４の表面に配置し、この平面部１の側縁とテーブル４の側縁を一致させ、ポケット基布３をテーブルの側縁から垂らし、ポケット基布３に形成したポケット３にアイテムである小物５を収容するように使用する。【０００５】
しかしながらこのテーブルポケットでは、上記のとおり平面部をテーブル上に載置することになり、飲用容器や、かばん類またはヘッドフォンなどのアクセサリーなどのアイテムを収納することによりテーブル上からこのアイテムを排除することができるが、その平面部がそのアイテムに代えてテーブル上を占有することになり、テーブル上において使用者が使用するアイテム以外のものは、なにも置きたくないというに要望に答えることができない。
【先行技術文献】
【特許文献】
【０００６】
【特許文献１】特開２００８−０９９８０６号公報
【発明の概要】
【発明が解決しようとする課題】
【０００７】
本発明は前記の点に鑑みなされたもので、その課題は、不必要なアイテムがテーブル上を占有することがなく、使用者の手の届く位置にこれらのアイテムを配置することができるテーブルを提供することである。
【課題を解決するための手段】
【０００８】
前記の課題を解決するため、第１観点のテーブルは、物を載せるためのテーブル本体と、テーブル本体の側面に断面視凹状を呈する溝部と、溝部と取り付け可能な嵌合部と、を有し、嵌合部は、テーブル本体における前記溝部と取り外し可能に嵌合することができるというものである。【０００９】
また、第２観点のテーブルは、第１観点において、溝部または、嵌合部のいずれか一方に磁石を配置し、嵌合部または溝部のいずれか他方に、磁石と吸着する鉄材を配置するというものである。【００１０】
また、第３観点のテーブルは、第１観点または第２観点において、物をつり下げることができる吊り下げ部と、をさらに有し、吊り下げ部は、その嵌合部を有するというものである。【００１１】
また、第４観点のテーブルは、第１観点または第２観点において、空間を仕切るための壁部と接続するための壁支持具と、をさらに有し、壁支持具は、その嵌合部を有するというものである。【００１２】
また、第５観点のテーブルは、第１観点または第２観点において、コードを保持するためのコード支持具と、をさらに有し、コード支持具は、その嵌合部を有するというものである。【００１３】
また、第６観点のテーブルは、第３観点において、その吊り下げ部に、書類または、アイテムを吊り下げることができるファイル保持部を吊り下げたというものである。
【発明の効果】
【００１４】
本発明は以上のように構成され、かつ、作用するものであるから、不必要なアイテムがテーブル上を占有することがなく、使用者の手の届く位置にこれらのアイテムを配置することができるテーブルを提供することができる。
【図面の簡単な説明】
【００１５】
【図１】テーブルの斜視図である。
【図２】Ａはテーブル本体の平面図である。Ｂは、テーブル本体の裏面図である。
【図３】Ａはテーブル本体の正面図である。Ｂは、テーブル本体の背面図である。
【図４】Ａはテーブル本体の正面図の部分拡大図である。ＢはＡのＢ−Ｂ線拡大断面図である。
【図５】Ａは、吊り下げ部の平面図である。Ｂは、吊り下げ部の側面図である。
【図６】Ａは、容器支持部の平面図である。Ｂは、容器支持部の側面図である。
【図７】Ａは、壁支持部の平面図である。Ｂは、壁支持部の側面図である。
【図８】壁部の平面図である。
【図９】Ａは、ファイル保持部の平面図である。Ｂは、ファイル保持部の側面図である。
【図１０】Ａは、コード保持部の平面図である。Ｂは、コード保持部の側面図である。
【図１１】吊り下げ部と容器支持部と壁支持部と壁部とファイル保持部とコード保持部を配置した状態のテーブルの斜視状態図である。
【発明を実施するための最良の形態】
【００１６】
以下、実施例を説明する。本実施例のテーブル１０は、テーブル本体２０と嵌合部１００とを有するものである。テーブル本体２０は、アイテムを載置することが可能な平面視矩形状を呈する天板部３０と、脚部４０、４０、４０、４０とを有する。それら、脚部４０は文字通り天板部３０を支えるためのものであり、後述する下板部３２の４隅に固定されている。【００１７】
脚部４０は、ほぼ正方形の天板取り付け部４１と、所定の長さを有する角材からなる脚部本体４２とを有する。脚部本体４２は、天板取り付け部４１の隅に接続されて一体となっている。なお、所定の長さとは、６８７.５ミリメートルが好ましい。【００１８】
天板部３０は、上板部３１と下板部３２とを有し、それぞれ天板部３０の表面と裏面を構成するものであり、上記のとおり平面視矩形状を呈する。またさらに、中板部３３を有するものである。中板部３３は、断面視上板部３１と下板部３２との間に配置され、上板部３１および下板部３２よりも１回り面積が小となる構成である。【００１９】
すなわち、上板部３１および下板部３２よりも１回り面積が小となる構成の中板部３３は、断面視において、上板部３１および下板部３２の外方に隙間が生じその部分に溝部３４を配置している。この溝部３４は、断面視凹状を呈しておりその開口部３５は外方を向いている（図３Ａ、Ｂ、図４Ａ、Ｂ参照）。【００２０】
また溝部３４は、中板部３３を周回するように配置され、天板部３０の側面を構成するものである。また、溝部３４は、後述する嵌合部１００が有する磁石と吸着するもので構成する。従って、溝部３４は磁石と吸着する鉄材で構成されることが好ましい。【００２１】
もっとも、溝部３４に磁石を配置し、後述する嵌合部１００がその磁石と吸着する鉄材で構成することもできる。従って、溝部３４または、嵌合部１００のいずれか一方に磁石を配置するとともに、磁石を配置しないその他方である嵌合部１００または溝部３４に、磁石と吸着する鉄材を配置することもできる。ここで、磁石を配置するとはたとえば溝部３４の近傍に磁石を配置すること、あるいは溝部３４そのものを磁石で構成することを含む趣旨である。これにより、溝部３４と後述する嵌合部１００が取り外し可能に嵌合することができる。また、後述するように嵌合部１００を、柔軟性を有する合成樹脂製とし、その溝部３４の大きさより若干大きく構成することにより、その溝部３４に、その嵌合部１００を圧入するように取り外し可能に嵌合することもできる。【００２２】
次に嵌合部１００について説明する。嵌合部１００は、上述の溝部３４と吸着する磁石を具備するものであり、上述の溝部３４と嵌合するためにその磁石は嵌合部１００に配置されている。従って、嵌合部１００を有すれば、テーブル２０における溝部３４と取り外し可能に嵌合することができる。従って、図示しないが嵌合部１００を単独で配置することも可能であり、その嵌合部１００に、かばん、手提げ、ヘッドフォンなどの様々なアイテムを吊り下げることができる。また、後述するように、嵌合部１００を有する物であれば、様々なものを取り付けることができる。【００２３】
なお、上記のとおり、溝部３４に磁石を配置した場合に、その溝部３４と吸着する鉄材を有すように構成することもできる。ここで、磁石を配置するとはたとえば嵌合部１００の近傍に磁石を配置すること、あるいは嵌合部１００そのものを磁石で構成することを含む趣旨である。また、上記のとおり、嵌合部１００を、柔軟性を有する合成樹脂製とし、その溝部３４の大きさより、その嵌合部１００を若干大きく構成することができる（図示せず）。これにより、嵌合部１００または溝部３４のいずれも、磁石を配置しない場合であっても、その柔軟性を有する合成樹脂が若干変形することにより、いわばその溝部３４に圧入するように、取り外し可能に、嵌合部１００を嵌合することができる。なお、鉄材とは、鉄を有する磁石と吸着するものをいい、一部のステンレスもこれに含まれる。【００２４】
吊り下げ部２００は、嵌合部１００を有するものであり、文字通り、吊り下げ部２００に、様々なアイテムである物を、吊り下げることができる。吊り下げ部２００は、板状のものをＵの字状に折り曲げた形状を呈し、その吊り上げ部２００に、後述するように様々なアイテムを吊り下げることができる。よって、その吊り下げ部２００を、テーブル本体２０における溝部３４と取り外し可能に取り付けることができ、そのアイテムをテーブル本体２０上から取り除きつつ、これらのアイテムを身近な場所に確保することができるというものである。なお、吊り下げ部２００は突起部２０１を有する。この突起部２０１は、上方に隆起しているものであり、かばん、手提げ、ハンガー、ヘッドフォンなどのアイテムがこの吊り下げ部２００から外れることを防止している。【００２５】
容器支持部３００は、嵌合部１００を有するものであり、その容器支持部３００は、文字通り、飲料が入れられた後述するカップＸを保持するためのものである。容器支持部３００は、飲用容器すなわちカップＸを保持するカップホルダーとして、平面視環状を呈する環状部３０１を有し、その根元部分は、嵌合部１００と一体である。従って、その環状部３０１にそのカップＸを差し入れることでカップＸを保持することができる。【００２６】
なお、容器支持部３００は、その環状部３０１のサイズによっては、カップＸなどの飲用容器ではなく、後述する植木鉢Ｙなども保持することができる。従って、容器支持部３００は、その環状部３０１に植木鉢Ｙを配置すれば、テーブル本体２０回りに、植木鉢Ｙに配置した観葉植物を配置することができる。【００２７】
壁支持部４００は、嵌合部１００を有するものであり、後述する空間を仕切るパーテンションの役割を有する壁部５００と接続するためのものである。壁支持部４００は、溝部４０１を有し、この溝部４０１に、壁部５００を嵌合することができる。壁部５００の大きさによって、嵌合部１００を有する壁支持部４００を複数用いることができる。なお壁部５００は文字通り壁となる平面状を呈し、合成樹脂製であることが好ましい。【００２８】
壁部５００は折り曲げ可能であり、あらかじめ、その壁部５００の板厚を薄くして折り曲げ可能に構成した折り曲げ部５０１を有する。この折り曲げ部５０１を折り曲げることによって、テーブル本体２０の角部にあてがうことができる。なお、この壁部５００に、ポストカードやメモを、画鋲を使用して取り付けることもできる（図示しない）。【００２９】
なお、吊り下げ部２００は、上記のとおり、かばん、手提げ、ヘッドフォンなどのアイテムを、引っ掛けて、吊り下げることができる。また、その吊り下げ部２００に、書類やファイル、ノート型パソコンを入れることができるファイル保持部６００を吊り下げることも可能である。ファイル保持部６００は、合成樹脂性の薄板を２つ折りした形状を呈し、その２つ折りした形状の内側に書類等を挟むように保持するものである。ファイル保持部６００は、長楕円形の孔を呈する取り付け部６０１を有し、この取り付け部６０１に吊り下げ部２００を挿入することにより、ファイル保持部６００を、吊り下げ部２００に釣り下げて使用する。【００３０】
コード保持部７００は、嵌合部１００を有するものであり、さらに、後述するイヤフォンあるいはコンピュータマウスのコード類Ｚをまきつけて保持する複数のコード溝部７０１を有するものである。なお、使用方法については、コード溝部７０１にそのコード類Ｚを引っ掛けることにより保持することもできる。【００３１】
このようなテーブル本体２０に、嵌合部１００を有する吊り下げ部２００と、嵌合部１００を有する容器支持部３００と、嵌合部１００を有する壁支持部４００と、をそれぞれ、溝部３４に取り外し可能に取り付ける。また、吊り下げ部２００はさらに、ファイル保持部６００を取り付けることにより、書類やファイル、ノート型パソコンを入れることができる。【００３２】
また、上記のとおり、容器支持部３００は飲用容器Ｘあるいは植木鉢Ｙを配置することができる。さらにまた、壁支持部４００には、空間を仕切るパーテンションとしての壁部５００を取り付けることができる。このように、かばん、手提げ、ヘッドフォンなどのアイテムや、カップＸなどの飲用容器または植木鉢Ｙ、ＰＣにスマートフォン、電源ケーブルにヘッドフォンのコード類Ｚを、テーブル本体２０の周りに、配置することができるので、作業に十分なテーブル本体２０の面積を確保することができるとともに、図示しない使用者の手の届く位置にこれらのアイテムを配置することができる。また、上記のとおり、溝部３４は、中板部３３を周回するように配置され、天板部３０の側面を構成している。従って、テーブル本体２０に凹状の溝部３４を有することで、テーブル本体２０に加重を加えたとしても比較的曲げに強い構成となり、テーブル本体２０の歪みやぐらつきを抑えることができる。この場合、凹状の溝部３４を鉄材で構成することができる。
【符号の説明】
【００３３】
１０  テーブル
２０  テーブル本体
３０  天板部
３４  溝部
４０  脚部
１００  嵌合部
２００  吊り下げ部
３００  容器支持部
４００  壁支持部
５００  壁部
６００  ファイル保持部
７００  コード保持部
【図１】
2019069351.tif 000003
【図２】
2019069351.tif 000004
【図３】
2019069351.tif 000005
【図４】
2019069351.tif 000006
【図５】
2019069351.tif 000007
【図６】
2019069351.tif 000008
【図７】
2019069351.tif 000009
【図８】
2019069351.tif 000010
【図９】
2019069351.tif 000011
【図１０】
2019069351.tif 000012
【図１１】
2019069351.tif 000013
【国際調査報告】
2019069351.tif 000014
2019069351.tif 000015
2019069351.tif 000016
2019069351.tif 000017